(57)【要約】【課題】金融機関が入金処理を行っていない期間中でも専用口座への追加入金等ができる投資処理方法を提供せんとするものである。【解決手段】顧客からの投資金額の追加指示の際、ＣＰＵ１０により、顧客口座ファイル１３からその金額分を差し引きテンポラリ口座ファイル１４の顧客コードで特定される領域にその金額分を移して留保させ且つその金額分に相当する投資追加金額のデータを上記顧客コードと共に運営者側サーバ２に通知すると共に、運営者側サーバ２から投資可能金額残高のデータが上記顧客コードと共に通知された際、テンポラリ口座ファイル１４の顧客コードで特定される領域に留保した投資追加金額と該投資可能金額残高データ金額との精算を行い、それにより運営者側口座ファイル１５、顧客口座ファイル１３、テンポラリ口座ファイル１４の金額データを更新する。【選択図】        図２
2004164448.tif 000002
【特許請求の範囲】
【請求項１】
金融機関側のコンピュータに対し顧客から投資金額の追加指示があった場合に、該コンピュータの演算手段により、該顧客の口座ファイルからその金額分が差し引かれ、テンポラリ口座ファイルの顧客コードで特定される領域にその金額分が移されて留保され、且つその金額分に相当する投資追加金額のデータが、上記顧客コードと共に、運営者側のコンピュータに、直接又は顧客の情報閲覧手段を介して、通知されるステップと、
運営者側のコンピュータから投資可能金額残高のデータが、上記顧客コードと共に通知された際に、上記テンポラリ口座ファイルの顧客コードで特定される領域に留保した投資追加金額と該投資可能金額残高データ金額との精算が、金融機関側のコンピュータの演算手段により行われるステップと、
その精算結果に基づき、上記演算手段により、金融機関側のコンピュータに備えられた運営者側口座ファイル、上記顧客口座ファイル及び上記テンポラリ口座ファイルの金額データの更新が行われるステップと
を実行することを特徴とする投資処理方法。
【請求項２】
上記精算結果に基づき、上記演算手段により、上記運営者側口座ファイル、顧客口座ファイル及びテンポラリ口座ファイルの金額データの更新が行われる際に、通知された投資可能金額残高データが留保投資追加金額より大きい場合は、該演算手段により、金融機関側のコンピュータに備えられた運営者側口座ファイルから、（通知された投資可能金額残高データ−留保投資追加金額）分の金額が徴収されると共に、上記顧客口座ファイルに、通知された投資可能金額残高データ分の金額が入金され、さらに上記テンポラリ口座ファイルの顧客コードで特定される領域に留保された投資追加金額が０とされることを特徴とする請求項１記載の投資処理方法。
【請求項３】
上記精算結果に基づき、上記演算手段により、上記運営者側口座ファイル、顧客口座ファイル及びテンポラリ口座ファイルの金額データの更新が行われる際に、通知された投資可能金額残高データが留保投資追加金額より小さい場合は、該演算手段により、上記顧客口座ファイルに、通知された投資可能金額残高データ分の金額が返金されると共に、金融機関側のコンピュータに備えられた運営者側口座ファイルに、（留保投資追加金額−通知された投資可能金額残高データ）分の金額が入金され、さらに上記テンポラリ口座ファイルの顧客コードで特定される領域に留保された投資追加金額が０とされることを特徴とする請求項１記載の投資処理方法。
【請求項４】
運営者側のコンピュータに対し、金融機関側のコンピュータから直接又は顧客の情報閲覧手段を介して、顧客からの投資金額の追加指示に基づく投資追加金額データがその顧客コードと共に通知された場合に、運営者側の該コンピュータの演算手段により、投資可能金額記録ファイルの上記顧客コードで特定される領域に、該投資追加金額データが投資可能金額残高データとして格納されるステップと、
上記顧客から運営者側のコンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側のコンピュータに対し入力された場合に、上記演算手段により分析されて、個々の顧客の上記投資対象データ記録ファイルに投資結果データとして格納されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側のコンピュータに対し通知されるステップと
を実行することを特徴とする投資処理方法。
【請求項５】
運営者側のコンピュータに対し、金融機関側のコンピュータから直接又は顧客の情報閲覧手段を介して、顧客からの投資金額の追加指示に基づく投資追加金額データがその顧客コードと共に通知された場合に、運営者側の該コンピュータの演算手段により、投資可能金額記録ファイルの上記顧客コードで特定される領域に、該投資追加金額データが投資可能金額残高データとして格納されるステップと、
上記顧客から運営者側のコンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側のコンピュータに対し入力された場合に、上記演算手段により分析されて、個々の顧客の上記投資対象データ記録ファイルに投資結果データとして格納され、その運用結果から分析された投資結果においてその顧客に対し配当が発生している場合には、同演算手段により、上記投資可能金額記録ファイルの該当する顧客コードの投資可能金額残高データにその配当データが加算されて該投資可能金額残高データが更新されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側のコンピュータに対し通知されるステップと
を実行することを特徴とする投資処理方法。
【請求項６】
顧客コード毎に顧客口座が割り当てられた顧客口座ファイルと、
顧客コード毎に必要な記憶領域が確保され、そこに各顧客の指示による投資追加金額が留保されるテンポラリ口座ファイルと、
運営者用に用意された運営者側口座ファイルと、
顧客から投資金額の追加指示があった場合に、その顧客の顧客コードで特定される上記顧客口座ファイルからその金額分を差し引き、テンポラリ口座ファイルの顧客コードで特定される領域にその金額分を移して留保させ、且つその金額分に相当する投資追加金額のデータを、上記顧客コードと共に、運営者側のコンピュータに、直接又は顧客の情報閲覧手段を介して、通知すると共に、運営者側のコンピュータから投資可能金額残高のデータが、上記顧客コードと共に通知された際に、上記テンポラリ口座ファイルの顧客コードで特定される領域に留保した投資追加金額と該投資可能金額残高データ金額との精算を行い、その精算結果に基づいて、上記運営者側口座ファイル、顧客口座ファイル及びテンポラリ口座ファイルの金額データを更新する演算手段と
を有することを特徴とする投資処理装置。
【請求項７】
上記精算結果に基づいて、上記演算手段により、上記運営者側口座ファイル、顧客口座ファイル及びテンポラリ口座ファイルの金額データの更新が行われる際に、通知された投資可能金額残高データが留保投資追加金額より大きい場合は、該演算手段により、金融機関側のコンピュータに備えられた運営者側口座ファイルから、（通知された投資可能金額残高データ−留保投資追加金額）分の金額が徴収されると共に、上記顧客口座ファイルに、通知された投資可能金額残高データ分の金額が入金され、さらに上記テンポラリ口座ファイルの顧客コードで特定される領域に留保された投資追加金額が０とされることを特徴とする請求項６記載の投資処理装置。
【請求項８】
上記精算結果に基づいて、上記演算手段により、上記運営者側口座ファイル、顧客口座ファイル及びテンポラリ口座ファイルの金額データの更新が行われる際に、通知された投資可能金額残高データが留保投資追加金額より小さい場合は、該演算手段により、上記顧客口座ファイルに、通知された投資可能金額残高データ分の金額が返金されると共に、金融機関側のコンピュータに備えられた運営者側口座ファイルに、（留保投資追加金額−通知された投資可能金額残高データ）分の金額が入金され、さらに上記テンポラリ口座ファイルの顧客コードで特定される領域に留保された投資追加金額が０とされることを特徴とする請求項６記載の投資処理装置。
【請求項９】
投資対象データをその顧客コードと共に格納する投資対象データ記録ファイルと、
投資可能金額残高データを同じくその顧客コードと共に記録しておく投資可能金額記録ファイルと、
金融機関側のコンピュータから直接又は顧客の情報閲覧手段を介して、顧客からの投資金額の追加指示に基づく投資追加金額データがその顧客コードと共に通知された場合に、上記投資可能金額記録ファイルの顧客コードで特定される領域に、該投資追加金額データを投資可能金額残高データとして格納し、また顧客から投資対象データに関する入力があった場合に、上記投資対象データ記録ファイルに投資対象データをその顧客コードと共に格納し、且つ上記投資可能金額記録ファイルの該顧客コードで特定される領域の投資可能金額残高データから投資金額データを掛金として減算して該投資可能金額残高データを更新すると共に、運用結果が入力された場合に、その運用結果の分析を行って、個々の顧客の上記投資対象データ記録ファイルに投資結果データとして記録し、さらに運用終了による精算の際に、上記投資可能金額記録ファイルから、各顧客コード毎に投資可能金額残高データの読み出しを行って、各顧客毎の残高計算を行い、残高計算のなされた上記投資可能金額残高データを、各顧客コードと共に、金融機関側のコンピュータに対し通知する演算手段と
を有することを特徴とする投資処理装置。
【請求項１０】
投資対象データをその顧客コードと共に格納する投資対象データ記録ファイルと、
投資可能金額残高データを同じくその顧客コードと共に記録しておく投資可能金額記録ファイルと、
金融機関側のコンピュータから直接又は顧客の情報閲覧手段を介して、顧客からの投資金額の追加指示に基づく投資追加金額データがその顧客コードと共に通知された場合に、上記投資可能金額記録ファイルの顧客コードで特定される領域に、該投資追加金額データを投資可能金額残高データとして格納し、また顧客から投資対象データに関する入力があった場合に、上記投資対象データ記録ファイルに投資対象データをその顧客コードと共に格納し、且つ上記投資可能金額記録ファイルの該顧客コードで特定される領域の投資可能金額残高データから投資金額データを掛金として減算して該投資可能金額残高データを更新すると共に、運用結果が入力された場合に、その運用結果の分析を行って、個々の顧客の上記投資対象データ記録ファイルに投資結果データとして記録し、且つその運用結果から分析された投資結果においてその顧客に対し配当が発生している場合には、上記投資可能金額記録ファイルの該当する顧客コードで特定される領域の投資可能金額残高データにその配当データを加算して該投資可能金額残高データの更新を行い、さらに運用終了による精算の際に、上記投資可能金額記録ファイルから、各顧客コード毎に投資可能金額残高データの読み出しを行って、各顧客毎の残高計算を行い、残高計算のなされた上記投資可能金額残高データを、各顧客コードと共に、金融機関側のコンピュータに対し通知する演算手段と
を有することを特徴とする投資処理装置。
【請求項１１】
金融機関側のコンピュータで実行されるコンピュータ・プログラムであって、
該コンピュータに対し顧客から投資金額の追加指示があった場合に、そこに備えられた演算手段により、該顧客の口座ファイルからその金額分が差し引かれ、テンポラリ口座ファイルの顧客コードで特定される領域にその金額分が移されて留保され、且つその金額分に相当する投資追加金額のデータが、上記顧客コードと共に、運営者側の別のコンピュータに、直接又は顧客の情報閲覧手段を介して、通知されるステップと、
運営者側の上記コンピュータから投資可能金額残高のデータが、上記顧客コードと共に通知された際に、上記テンポラリ口座ファイルの顧客コードで特定される領域に留保した投資追加金額と該投資可能金額残高データ金額との精算が、上記演算手段により行われるステップと、
その精算結果に基づき、該演算手段により、金融機関側の本コンピュータに備えられた運営者側口座ファイル、上記顧客口座ファイル及び上記テンポラリ口座ファイルの金額データの更新が行われるステップと
が、上記金融機関側のコンピュータにより実行されることを特徴とするコンピュータ・プログラム。
【請求項１２】
上記精算結果に基づき、上記演算手段により、上記運営者側口座ファイル、顧客口座ファイル及びテンポラリ口座ファイルの金額データの更新が行われるステップで、通知された投資可能金額残高データが留保投資追加金額より大きい場合は、該演算手段により、金融機関側のコンピュータに備えられた運営者側口座ファイルから、（通知された投資可能金額残高データ−留保投資追加金額）分の金額が徴収されると共に、上記顧客口座ファイルに、通知された投資可能金額残高データ分の金額が入金され、さらに上記テンポラリ口座ファイルの顧客コードで特定される領域に留保された投資追加金額が０とされることを特徴とする請求項１１記載のコンピュータ・プログラム。
【請求項１３】
上記精算結果に基づき、上記演算手段により、上記運営者側口座ファイル、顧客口座ファイル及びテンポラリ口座ファイルの金額データの更新が行われるステップで、通知された投資可能金額残高データが留保投資追加金額より小さい場合は、該演算手段により、上記顧客口座ファイルに、通知された投資可能金額残高データ分の金額が返金されると共に、金融機関側のコンピュータに備えられた運営者側口座ファイルに、（留保投資追加金額−通知された投資可能金額残高データ）分の金額が入金され、さらに上記テンポラリ口座ファイルの顧客コードで特定される領域に留保された投資追加金額が０とされることを特徴とする請求項１１記載のコンピュータ・プログラム。
【請求項１４】
運営者側のコンピュータで実行されるコンピュータ・プログラムであって、
該コンピュータに対し、金融機関側の別のコンピュータから直接又は顧客の情報閲覧手段を介して、顧客からの投資金額の追加指示に基づく投資追加金額データがその顧客コードと共に通知された場合に、運営者側の本コンピュータの演算手段により、投資可能金額記録ファイルの上記顧客コードで特定される領域に、該投資追加金額データが投資可能金額残高データとして格納されるステップと、
上記顧客から運営者側の本コンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側の本コンピュータに対し入力された場合に、上記演算手段により分析されて、個々の顧客の上記投資対象データ記録ファイルに投資結果データとして格納されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側の上記コンピュータに対し通知されるステップと
が、上記運営者側のコンピュータにより実行されるを実行することを特徴とするコンピュータ・プログラム。
【請求項１５】
運営者側のコンピュータで実行されるコンピュータ・プログラムであって、
該コンピュータに対し、金融機関側の別のコンピュータから直接又は顧客の情報閲覧手段を介して、顧客からの投資金額の追加指示に基づく投資追加金額データがその顧客コードと共に通知された場合に、運営者側の本コンピュータの演算手段により、投資可能金額記録ファイルの上記顧客コードで特定される領域に、該投資追加金額データが投資可能金額残高データとして格納されるステップと、
上記顧客から運営者側の本コンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側の本コンピュータに対し入力された場合に、上記演算手段により分析されて、個々の顧客の上記投資対象データ記録ファイルに投資結果データとして格納され、その運用結果から分析された投資結果においてその顧客に対し配当が発生している場合には、同演算手段により、上記投資可能金額記録ファイルの該当する顧客コードで特定される領域の投資可能金額残高データにその配当データが加算されて該投資可能金額残高データが更新されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側の上記コンピュータに対し通知されるステップとが、上記運営者側のコンピュータにより実行されるを実行することを特徴とするコンピュータ・プログラム。
【請求項１６】
上記請求項１１〜請求項１５いずれか１つに記載のコンピュータ・プログラムが格納されたコンピュータ読み取り可能な記録媒体。
【発明の詳細な説明】
【０００１】
【発明の属する技術分野】
本発明は、投資処理方法、投資処理装置、コンピュータ・プログラム及び記録媒体に関する。
【０００２】
【従来の技術】
近年競馬などの公営競技では、馬券などの投資用証券の購入を、特定の購入場所だけではなく、電話やＦＡＸなどを使用して、購入できるようになった。その場合、上記馬券などの購入時に必要な金銭や配当の受け渡しは電話やＦＡＸだけではできないので、自己の取引金融機関などに予め馬券などの購入用及び配当受取用の専用口座を設けて、その口座へ必要な金額を予め振り込んでおき、そこから購入額を引き落として上記馬券などの購入（投資金の支払い）に当てたり、配当が該口座へ入金される仕組みが採用されている。
【０００３】
【発明が解決しようとする課題】
しかし、競馬（中央競馬）などの開催日は、土曜、日曜、祭日などの金融機関休業日であることが多く、上記のような専用口座が利用されるとしても、開催日前日までにその口座に必要な投資資金を移しておかねばならず、開催日になってしまえば、資金の追加などはできない。
【０００４】
すなわち、上記金融機関などでは、自己の取引顧客に上記のような専用口座が設定されている場合、該口座の残高データが開催日の前日深夜などの時間帯に、公営競技の開催者（運営者）側へマグネチックテープ（ＭＴ）などに記録された状態で届けられる（或いは転送される）ため、開催日前日までに該専用口座に移された資金で専用口座が固定されてしまい、その専用口座からは、開催日終了の翌日になるまでは、資金の追加も引出もできない。
【０００５】
従って上記専用口座の残高によっては、次のレースなどへの掛金の入金ができず、馬券などの購入機会（投資機会）を失してしまうこともあり得る。
【０００６】
以上の問題は、競馬、競艇、競輪など現行法で合法とされている公営競技の他、特定のギャンブルの開催を容認する特区構想などが将来実現された場合も同様なことが言える。
【０００７】
さらに特定の取引所を介さず、夜間に特定の取次業者が介在することで、ネット上で株式の売買取引が行われる場合についても同様なことが言える。
【０００８】
本発明は以上のような実情に鑑み創案されたもので、金融機関などが入金処理などを行っていないような特定の期間中でも、上記の専用口座などへの追加入金（追加投資）などが可能となる投資処理方法乃至投資処理装置を提供せんとするものである。
【０００９】
併せてそのような投資処理方法が達成できるコンピュータ・プログラム及び該プログラムが格納されたコンピュータ読み取り可能な記録媒体についても併せて提案する。
【００１０】
【課題を解決するための手段】
本発明に係る投資処理方法は、上記専用口座が顧客コードで特定されるテンポラリ口座ファイルとして備えられる金融機関側のコンピュータの処理を規定するものであって、より具体的には、
金融機関側のコンピュータに対し顧客から投資金額の追加指示があった場合に、該コンピュータの演算手段により、該顧客の口座ファイルからその金額分が差し引かれ、テンポラリ口座ファイルの顧客コードで特定される領域にその金額分が移されて留保され、且つその金額分に相当する投資追加金額のデータが、上記顧客コードと共に、運営者側のコンピュータに、直接又は顧客の情報閲覧手段を介して、通知されるステップと、
運営者側のコンピュータから投資可能金額残高のデータが、上記顧客コードと共に通知された際に、上記テンポラリ口座ファイルの顧客コードで特定される領域に留保した投資追加金額と該投資可能金額残高データ金額との精算が、金融機関側のコンピュータの演算手段により行われるステップと、
その精算結果に基づき、上記演算手段により、金融機関側のコンピュータに備えられた運営者側口座ファイル、上記顧客口座ファイル及び上記テンポラリ口座ファイルの金額データの更新が行われるステップと
を実行することを基本的特徴としている。
【００１１】
上記構成によれば、顧客からの投資金額の追加（追加入金或いは追加投資の）指示が金融機関側のコンピュータに対しあった場合に、その追加投資金額分がテンポラリ口座ファイルの該顧客コードで特定される領域に留保されると共に、顧客の通常の取引口座からその金額分が差し引かれることになる。そして、上記公営ギャンブルなどの開催者側（運営者側）で運用されるコンピュータに、投資金（掛金など）として使用できるこの投資追加金額のデータが、その顧客コードと共に通知される。この場合、金融機関側のコンピュータから直接通知される場合の他、後述する実施形態構成で示されるように、金融機関側のコンピュータから上記金額データ及び顧客コードを受け取った顧客側のブラウザなどの情報閲覧手段を介して、該閲覧手段などからこれらの情報を受け取るケースもある。
【００１２】
以上のような処理により、上記運営者側のコンピュータでは、掛金として投資できる投資金額が、後述する運営者側の投資可能額記録ファイルに追加できるようになる。従って、該投資可能額記録ファイルに記録された口座残高を途中で増やすことができるようになり、残高不足による次のレースなどへの掛金の入金ができなくなるなどといったことを防止でき、馬券などの購入機会（投資機会）が失われないようになる。
【００１３】
他方これらの運用が終了（公営ギャンブルなどにおける全レースの終了など）し、或いは顧客がこれらの運用に対する投資を自ら終了した場合に、運営者側のコンピュータの上記投資可能額記録ファイルから投資可能金額残高のデータが、その演算手段により、任意の通信手段などを介して上記顧客コードと共に金融機関側のコンピュータに通知された場合には、上記テンポラリ口座ファイルの顧客コードで特定される領域に留保した投資追加金額と該投資可能金額残高データ金額との精算が、該金融機関側のコンピュータの演算手段により行われることになる。そして、その精算結果に基づき、上記演算手段により、金融機関側のコンピュータに備えられた運営者側口座ファイル、上記顧客口座ファイル及び上記テンポラリ口座ファイルの金額データの更新が行われることになる。
【００１４】
このファイルの更新処理としては、通知された投資可能金額残高データが留保投資追加金額より大きい場合には、該演算手段により、金融機関側のコンピュータに備えられた運営者側口座ファイルから、（通知された投資可能金額残高データ−留保投資追加金額）分の金額（最終的にその顧客にとって配当などによりプラスになった金額分）が徴収されると共に、上記顧客口座ファイルに、通知された投資可能金額残高データ分の金額が入金され、さらに上記テンポラリ口座ファイルの顧客コードで特定される領域に留保された投資追加金額が０とされることになる（請求項２）。
【００１５】
また通知された投資可能金額残高データが留保投資追加金額より小さい場合は、該演算手段により、上記顧客口座ファイルに、通知された投資可能金額残高データ分の金額が返金されると共に、金融機関側のコンピュータに備えられた運営者側口座ファイルに、（留保投資追加金額−通知された投資可能金額残高データ）分の金額（最終的にその顧客にとって負けが込むなどによりマイナスになった金額；主に掛金分）が入金され、さらに上記テンポラリ口座ファイルの顧客コードで特定される領域に留保された投資追加金額が０とされることになる（請求項３）。
【００１６】
すなわち、テンポラリ口座ファイルは残高を元の０に戻し、顧客は、基本的に掛金に相当する金額が上記留保投資追加金額から引かれ、さらにもしその運用（投資）に対して配当があった場合には、その配当分の金額が留保投資追加金額に加算されることになる。他方運営者側は、上記掛金に相当する金額が自己の運営者側口座ファイルに入り、他方顧客側に配当があった場合は、その分が該運営者側口座ファイルから出金されることになる。
【００１７】
請求項４及び請求項５の構成は、金融機関側のコンピュータから上記投資追加金額のデータが、その顧客コードと共に通知された運営者側のコンピュータの処理について規定するものである。
【００１８】
そのうち請求項４の投資処理方法の構成は、
運営者側のコンピュータに対し、金融機関側のコンピュータから直接又は顧客の情報閲覧手段を介して、顧客からの投資金額の追加指示に基づく投資追加金額データがその顧客コードと共に通知された場合に、運営者側の該コンピュータの演算手段により、投資可能金額記録ファイルの上記顧客コードで特定される領域に、該投資追加金額データが投資可能金額残高データとして格納されるステップと、
上記顧客から運営者側のコンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側のコンピュータに対し入力された場合に、上記演算手段により分析されて、個々の顧客の上記投資対象データ記録ファイルに投資結果データとして格納されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側のコンピュータに対し通知されるステップと
を実行することを特徴としている。
【００１９】
上記請求項１に示された金融機関側のコンピュータの処理によって、運営者側のコンピュータに対し、金融機関側のコンピュータから直接又は顧客の情報閲覧手段を介して、顧客からの投資金額の追加指示に基づく投資追加金額データがその顧客コードと共に通知された場合に、運営者側の該コンピュータの演算手段により、投資可能金額記録ファイルの上記顧客コードで特定される領域に、該投資追加金額データが投資可能金額残高データとして格納される。これによって、顧客は、投資可能金額が、その追加分だけ増えることになる。
【００２０】
そして上記顧客から運営者側のコンピュータに対し投資対象データに関する入力があったならば、該コンピュータの演算手段により、そのコンピュータに備えられた投資対象データ記録ファイルに投資対象データ（例えば競馬であれば、場名、レース、単・連・複などの識別、馬番、枠、購入金額など）がその顧客コードと共に格納されると共に、該演算手段により、上記投資可能金額記録ファイルの該顧客コードで特定される領域の投資可能金額残高データから投資金額データ（上記購入金額）が掛金として減算されて該投資可能金額残高データが更新される。
【００２１】
そしてレース結果などの運用結果が上記運営者側のコンピュータに対し入力されることで、上記演算手段により分析されて、個々の顧客の上記投資対象データ記録ファイルに投資結果データとして格納される。
【００２２】
その後運用終了（公営ギャンブルなどにおける全レースの終了や顧客がこれらの運用に対する投資を自ら終了した場合）による精算の際に、上記投資可能金額記録ファイルから、各顧客コード毎に投資可能金額残高データが読み出されて、上記演算手段により、各顧客毎の残高計算がなされ、そして残高計算のなされた上記投資可能金額残高データが、各顧客コードと共に、該演算手段により、金融機関側のコンピュータに対し通知されることになる。
【００２３】
その結果、上述のように、金融機関側のコンピュータでは、上記テンポラリ口座ファイルの顧客コードで特定される領域に留保した投資追加金額と該投資可能金額残高データ金額との精算が、該金融機関側のコンピュータの演算手段により行われ、その精算結果に基づき、上記演算手段により、金融機関側のコンピュータに備えられた運営者側口座ファイル、上記顧客口座ファイル及び上記テンポラリ口座ファイルの金額データの更新が行われることになる。
【００２４】
上記請求項５の構成は、上記運用結果から分析された投資結果においてその顧客に対し配当が発生していることが判明した場合には、同演算手段により、上記投資可能金額記録ファイルの該当する顧客コードで特定される領域の投資可能金額残高データにその配当データが加算されて該投資可能金額残高データが更新されることをさらに明らかにしている。より具体的には、
運営者側のコンピュータに対し、金融機関側のコンピュータから直接又は顧客の情報閲覧手段を介して、顧客からの投資金額の追加指示に基づく投資追加金額データがその顧客コードと共に通知された場合に、運営者側の該コンピュータの演算手段により、投資可能金額記録ファイルの上記顧客コードで特定される領域に、該投資追加金額データが投資可能金額残高データとして格納されるステップと、
上記顧客から運営者側のコンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側のコンピュータに対し入力された場合に、上記演算手段により分析されて、個々の顧客の上記投資対象データ記録ファイルに投資結果データとして格納され、その運用結果から分析された投資結果においてその顧客に対し配当が発生している場合には、同演算手段により、上記投資可能金額記録ファイルの該当する顧客コードの投資可能金額残高データにその配当データが加算されて該投資可能金額残高データが更新されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側のコンピュータに対し通知されるステップと
を実行することを特徴としている。
【００２５】
請求項６〜請求項１０の構成は、請求項１〜請求項５の投資処理方法を、装置の構成としてとらえ直して規定したものである。
【００２６】
そのうち請求項６の投資処理装置の構成は、請求項１の方法に対応しており、より具体的には、
顧客コード毎に顧客口座が割り当てられた顧客口座ファイルと、
顧客コード毎に必要な記憶領域が確保され、そこに各顧客の指示による投資追加金額が留保されるテンポラリ口座ファイルと、
運営者用に用意された運営者側口座ファイルと、
顧客から投資金額の追加指示があった場合に、その顧客の顧客コードで特定される上記顧客口座ファイルからその金額分を差し引き、テンポラリ口座ファイルの顧客コードで特定される領域にその金額分を移して留保させ、且つその金額分に相当する投資追加金額のデータを、上記顧客コードと共に、運営者側のコンピュータに、直接又は顧客の情報閲覧手段を介して、通知すると共に、運営者側のコンピュータから投資可能金額残高のデータが、上記顧客コードと共に通知された際に、上記テンポラリ口座ファイルの顧客コードで特定される領域に留保した投資追加金額と該投資可能金額残高データ金額との精算を行い、その精算結果に基づいて、上記運営者側口座ファイル、顧客口座ファイル及びテンポラリ口座ファイルの金額データを更新する演算手段と
を有することを特徴としている。
【００２７】
請求項７の投資処理装置の構成は、請求項２の方法に対応しており、具体的には、上記請求項６の構成において、上記精算結果に基づき、上記演算手段により、上記運営者側口座ファイル、顧客口座ファイル及びテンポラリ口座ファイルの金額データの更新が行われる際に、通知された投資可能金額残高データが留保投資追加金額より大きい場合は、該演算手段により、金融機関側のコンピュータに備えられた運営者側口座ファイルから、（通知された投資可能金額残高データ−留保投資追加金額）分の金額が徴収されると共に、上記顧客口座ファイルに、通知された投資可能金額残高データ分の金額が入金され、さらに上記テンポラリ口座ファイルの顧客コードで特定される領域に留保された投資追加金額が０とされることを特徴としている。
【００２８】
請求項８の投資処理装置の構成は、請求項３の方法に対応しており、具体的には、上記請求項６の構成において、上記精算結果に基づき、上記演算手段により、上記運営者側口座ファイル、顧客口座ファイル及びテンポラリ口座ファイルの金額データの更新が行われる際に、通知された投資可能金額残高データが留保投資追加金額より小さい場合は、該演算手段により、上記顧客口座ファイルに、通知された投資可能金額残高データ分の金額が返金されると共に、金融機関側のコンピュータに備えられた運営者側口座ファイルに、（留保投資追加金額−通知された投資可能金額残高データ）分の金額が入金され、さらに上記テンポラリ口座ファイルの顧客コードで特定される領域に留保された投資追加金額が０とされることを特徴としている。
【００２９】
請求項９の投資処理装置の構成は、請求項４の方法に対応しており、より具体的には、
投資対象データをその顧客コードと共に格納する投資対象データ記録ファイルと、
投資可能金額残高データを同じくその顧客コードと共に記録しておく投資可能金額記録ファイルと、
金融機関側のコンピュータから直接又は顧客の情報閲覧手段を介して、顧客からの投資金額の追加指示に基づく投資追加金額データがその顧客コードと共に通知された場合に、上記投資可能金額記録ファイルの顧客コードで特定される領域に、該投資追加金額データを投資可能金額残高データとして格納し、また顧客から投資対象データに関する入力があった場合に、上記投資対象データ記録ファイルに投資対象データをその顧客コードと共に格納し、且つ上記投資可能金額記録ファイルの該顧客コードで特定される領域の投資可能金額残高データから投資金額データを掛金として減算して該投資可能金額残高データを更新すると共に、運用結果が入力された場合に、その運用結果の分析を行って、個々の顧客の上記投資対象データ記録ファイルに投資結果データとして記録し、さらに運用終了による精算の際に、上記投資可能金額記録ファイルから、各顧客コード毎に投資可能金額残高データの読み出しを行って、各顧客毎の残高計算を行い、残高計算のなされた上記投資可能金額残高データを、各顧客コードと共に、金融機関側のコンピュータに対し通知する演算手段と
を有することを特徴としている。
【００３０】
請求項１０の投資処理装置の構成は、請求項５の方法に対応しており、より具体的には、
投資対象データをその顧客コードと共に格納する投資対象データ記録ファイルと、
投資可能金額残高データを同じくその顧客コードと共に記録しておく投資可能金額記録ファイルと、
金融機関側のコンピュータから直接又は顧客の情報閲覧手段を介して、顧客からの投資金額の追加指示に基づく投資追加金額データがその顧客コードと共に通知された場合に、上記投資可能金額記録ファイルの顧客コードで特定される領域に、該投資追加金額データを投資可能金額残高データとして格納し、また顧客から投資対象データに関する入力があった場合に、上記投資対象データ記録ファイルに投資対象データをその顧客コードと共に格納し、且つ上記投資可能金額記録ファイルの該顧客コードで特定される領域の投資可能金額残高データから投資金額データを掛金として減算して該投資可能金額残高データを更新すると共に、運用結果が入力された場合に、その運用結果の分析を行って、個々の顧客の上記投資対象データ記録ファイルに投資結果データとして記録し、且つその運用結果から分析された投資結果においてその顧客に対し配当が発生している場合には、上記投資可能金額記録ファイルの該当する顧客コードで特定される領域の投資可能金額残高データにその配当データを加算して該投資可能金額残高データの更新を行い、さらに運用終了による精算の際に、上記投資可能金額記録ファイルから、各顧客コード毎に投資可能金額残高データの読み出しを行って、各顧客毎の残高計算を行い、残高計算のなされた上記投資可能金額残高データを、各顧客コードと共に、金融機関側のコンピュータに対し通知する演算手段と
を有することを特徴としている。
【００３１】
請求項１１〜請求項１５までの構成は、上記請求項１〜請求項５までに規定した方法をコンピュータに実行させるために、該コンピュータで実行可能なプログラムについて規定している。
【００３２】
すなわち、上述した課題を解決するための構成として、上記請求項１〜請求項５までに規定した各処理を、コンピュータの構成を利用して実行する、該コンピュータで読み込まれて実行可能なコンピュータ・プログラムにつき開示する。もちろんこれらの構成は、コンピュータ・プログラムとしてだけではなく、後述するように、同様な機能を有するプログラムを格納した記録媒体の構成（請求項１６）として提供されても良いことは言うまでもない。この場合、コンピュータとは中央演算処理装置の構成を含んだ汎用的なコンピュータの構成の他、特定の処理に向けられた専用機などを含むものであっても良く、中央演算処理装置の構成を伴うものであれば特に限定はない。
【００３３】
コンピュータに上記各処理を実行させるためのこのようなプログラムが、コンピュータに読み出されると、請求項１〜請求項５までに規定されたいずれかの処理と同様な処理が実行されることになる。
【００３４】
また既存のハードウェア資源を用いてこのコンピュータ・プログラムを実行することにより、既存のハードウェアで新たなアプリケーションとしての本発明の方法が容易に実行できるようになる。さらにこのようなコンピュータ・プログラムが前述の記録媒体に記録されることにより、これをソフトウェア商品として容易に配付、販売することができるようになる。加えて記録媒体の構成としては、上述した形式の場合の他、ＲＡＭやＲＯＭなどの内部記憶装置の構成やハードディスクなどの外部記憶装置の構成であっても良く、そのようなプログラムがそこに記録されれば、本発明に規定された記録媒体に含まれることは言うまでもない。
【００３５】
尚、請求項１１〜請求項１５までに記載された各処理のうち一部の処理を実行する機能は、コンピュータに組み込まれた機能（コンピュータにハードウェア的に組み込まれている機能でも良く、該コンピュータに組み込まれているオペレーティングシステムや他のアプリケーションプログラムなどによって実現される機能でも良い）によって実現され、前記プログラムには、該コンピュータによって達成される機能を呼び出すあるいはリンクさせる命令が含まれていても良い。
【００３６】
これは、請求項１１〜請求項１５までに規定された各処理の一部が、例えばオペレーティングシステムなどによって達成される機能の一部で代行され、その機能を実現するためのプログラムないしモジュールなどは直接記録されているわけではないが、それらの機能を達成するオペレーティングシステムの機能の一部を、呼び出したりリンクさせるようにしてあれば、実質的に同じ構成となるからである。
【００３７】
上記プログラムは、それ自身使用の対象となる他、後述のように記録媒体に記録されて配付乃至販売され、また通信などにより送信されて、譲渡の対象とすることもできるようになる。
【００３８】
そのうち、請求項１１の構成は、請求項１の構成に対応する構成であり、その具体的構成は、
金融機関側のコンピュータで実行されるコンピュータ・プログラムであって、
該コンピュータに対し顧客から投資金額の追加指示があった場合に、そこに備えられた演算手段により、該顧客の口座ファイルからその金額分が差し引かれ、テンポラリ口座ファイルの顧客コードで特定される領域にその金額分が移されて留保され、且つその金額分に相当する投資追加金額のデータが、上記顧客コードと共に、運営者側の別のコンピュータに、直接又は顧客の情報閲覧手段を介して、通知されるステップと、
運営者側の上記コンピュータから投資可能金額残高のデータが、上記顧客コードと共に通知された際に、上記テンポラリ口座ファイルの顧客コードで特定される領域に留保した投資追加金額と該投資可能金額残高データ金額との精算が、上記演算手段により行われるステップと、
その精算結果に基づき、該演算手段により、金融機関側の本コンピュータに備えられた運営者側口座ファイル、上記顧客口座ファイル及び上記テンポラリ口座ファイルの金額データの更新が行われるステップと
が、上記金融機関側のコンピュータにより実行されることを特徴とするコンピュータ・プログラムである。
【００３９】
請求項１２の構成は、請求項２の構成に対応する構成であり、具体的には、請求項１１のコンピュータ・プログラムの構成において、上記精算結果に基づき、上記演算手段により、上記運営者側口座ファイル、顧客口座ファイル及びテンポラリ口座ファイルの金額データの更新が行われるステップで、通知された投資可能金額残高データが留保投資追加金額より大きい場合は、該演算手段により、金融機関側のコンピュータに備えられた運営者側口座ファイルから、（通知された投資可能金額残高データ−留保投資追加金額）分の金額が徴収されると共に、上記顧客口座ファイルに、通知された投資可能金額残高データ分の金額が入金され、さらに上記テンポラリ口座ファイルの顧客コードで特定される領域に留保された投資追加金額が０とされることを特徴としている。
【００４０】
請求項１３の構成は、請求項３の構成に対応する構成であり、具体的には、請求項１１のコンピュータ・プログラムの構成において、上記精算結果に基づき、上記演算手段により、上記運営者側口座ファイル、顧客口座ファイル及びテンポラリ口座ファイルの金額データの更新が行われるステップで、通知された投資可能金額残高データが留保投資追加金額より小さい場合は、該演算手段により、上記顧客口座ファイルに、通知された投資可能金額残高データ分の金額が返金されると共に、金融機関側のコンピュータに備えられた運営者側口座ファイルに、（留保投資追加金額−通知された投資可能金額残高データ）分の金額が入金され、さらに上記テンポラリ口座ファイルの顧客コードで特定される領域に留保された投資追加金額が０とされることを特徴としている。
【００４１】
請求項１４の構成は、請求項４の構成に対応する構成であり、より具体的な構成としては、
運営者側のコンピュータで実行されるコンピュータ・プログラムであって、
該コンピュータに対し、金融機関側の別のコンピュータから直接又は顧客の情報閲覧手段を介して、顧客からの投資金額の追加指示に基づく投資追加金額データがその顧客コードと共に通知された場合に、運営者側の本コンピュータの演算手段により、投資可能金額記録ファイルの上記顧客コードで特定される領域に、該投資追加金額データが投資可能金額残高データとして格納されるステップと、
上記顧客から運営者側の本コンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側の本コンピュータに対し入力された場合に、上記演算手段により分析されて、個々の顧客の上記投資対象データ記録ファイルに投資結果データとして格納されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側の上記コンピュータに対し通知されるステップと
が、上記運営者側のコンピュータにより実行されるを実行することを特徴とするコンピュータ・プログラムである。
【００４２】
請求項１５の構成は、請求項５の構成に対応する構成であり、より具体的な構成としては、
運営者側のコンピュータで実行されるコンピュータ・プログラムであって、
該コンピュータに対し、金融機関側の別のコンピュータから直接又は顧客の情報閲覧手段を介して、顧客からの投資金額の追加指示に基づく投資追加金額データがその顧客コードと共に通知された場合に、運営者側の本コンピュータの演算手段により、投資可能金額記録ファイルの上記顧客コードで特定される領域に、該投資追加金額データが投資可能金額残高データとして格納されるステップと、
上記顧客から運営者側の本コンピュータに対し投資対象データに関する入力があった場合に、該コンピュータの演算手段により、そのコンピュータに備えられた投資対象データ記録ファイルに投資対象データがその顧客コードと共に格納されると共に、該演算手段により、上記投資可能金額記録ファイルの該顧客コードで特定される領域の投資可能金額残高データから投資金額データが掛金として減算されて該投資可能金額残高データが更新されるステップと、
運用結果が上記運営者側の本コンピュータに対し入力された場合に、上記演算手段により分析されて、個々の顧客の上記投資対象データ記録ファイルに投資結果データとして格納され、その運用結果から分析された投資結果においてその顧客に対し配当が発生している場合には、同演算手段により、上記投資可能金額記録ファイルの該当する顧客コードで特定される領域の投資可能金額残高データにその配当データが加算されて該投資可能金額残高データが更新されるステップと、
運用終了による精算の際に、上記投資可能金額記録ファイルから、各顧客コード毎に投資可能金額残高データが読み出されて、上記演算手段により、各顧客毎の残高計算がなされるステップと、
残高計算のなされた上記投資可能金額残高データが、各顧客コードと共に、該演算手段により、金融機関側の上記コンピュータに対し通知されるステップとが、上記運営者側のコンピュータにより実行されるを実行することを特徴とするコンピュータ・プログラムである。
【００４３】
さらに請求項１６の構成は、上述のように、請求項１１〜請求項１５いずれか１つに記載のコンピュータ・プログラムが格納されたコンピュータ読み取り可能な記録媒体について規定している。すなわち、これらのコンピュータ・プログラムは、記録媒体に格納されて、取引の対象とすること或いは実際に実行することなども可能である。
【００４４】
上記方法やプログラム（或いは上記記録媒体から読み出されたプログラム）を実行するコンピュータ或いは上記システムを構成するコンピュータは、夫々（金融機関側のコンピュータ及び運営者側のコンピュータの夫々）１つの構成（スタンドアローン型のコンピュータなど）であっても良いが、それに限定されるわけではなく、ネットワークを構成する複数のコンピュータ（複数のサーバなど）で構成され、前記各ステップでなされる処理は、それらのコンピュータにおいて（必要であれば適当な通信構成を介して）分散して実行されるように、プログラムに設定されるようにしても良い。
【００４５】
【発明の実施の形態】
以下、本発明の実施の形態を図示例と共に説明する。
図１は、本発明法が実施される際に使用されるコンピュータ及び通信システムの全体構成を示す説明図である。同図では、競馬レースを開催する運営者側に、該レースへの馬券などの購入（投資）を行う顧客に向けて専用のサーバ２が設けられており、またこれらの顧客とは、パソコンなどの端末３０、３１…、３ｎにより、インターネットなどの通信回線４を介してつながっている。
【００４６】
またこれらの顧客の取引金融機関には金融機関側サーバ１が設けられ、上記通信回線４に接続されている。さらに該金融機関側サーバ１には、後述するように、各顧客用に夫々の顧客コード毎に預入金額をデータとして記録しておくことができる顧客口座ファイル１３が設けられていると共に、上記運営者用に同じく運営者用顧客コードの付けられた預入金額データ記録用の運営者側口座ファイル１５も備えられている。
【００４７】
この金融機関側サーバ１には、後述するように、各顧客が自己の顧客コードで特定される顧客口座ファイル１３から上記競馬レースなどの掛金（投資金）の払い込みができるように該顧客口座ファイル１３から投資可能な金額を予め確保しておく（各顧客の追加金データを留保しておく）と共に、その掛金の支払があったレースで配当があった場合にその配当の受取が可能な領域を、夫々の顧客コード毎に確保しておくテンポラリ口座ファイル１４が設けられている。
【００４８】
尚、後述するように、顧客口座ファイル１３から投資可能な金額を、追加金データとして、テンポラリ口座ファイル１４に移動する場合は、本出願人がすでに出願している特願２００１−６２７９７に示されるような決済方法が用いられる。すなわち、一旦運営者側サーバ２に接続し、後述する購入限度額照会画面において、顧客が、投資可能金額残高データの照会を要求し、もし、次の投資機会までに、掛金として必要な投資可能金額残高が投資可能額記録ファイル２４におけるその顧客コードで特定される領域になければ、購入限度追加画面に移行し、そこで購入追加希望金額を入力して追加要求を出す。すると、運営者側サーバ２の後述するＣＰＵ２０により、そこで入力された購入追加希望金額と顧客コードが、顧客端末の情報閲覧手段（ブラウザの稼働する端末装置）の所定のデータ格納領域に渡されると共に、該情報閲覧手段に金融機関側サーバ１のＵＲＬが与えられて、該情報閲覧手段の接続先が、金融機関側サーバ１に切り替えられる。この切り替え時に該情報閲覧手段により、上記所定のデータ格納領域から、金融機関側サーバ１に、購入追加希望金額と顧客コードが引き継がれる。この時、金融機関側サーバ１からは、該顧客に向けて本人確認のための入力が求められ、該本人確認が認められると、金融機関側サーバ１の後述するＣＰＵ１０により、本人確認によって明らかになった顧客コードで特定される顧客口座ファイル１３から、テンポラリ口座ファイル１４の同じ顧客コードで特定される領域に、上記購入追加希望金額が追加金として留保されることになる。この追加金データは、上記ＣＰＵ１０により、通信部１２・２２を介して、顧客コードと共に、運営者側サーバ２の投資可能額記録ファイル２４に転送・記録される。そして顧客の情報閲覧手段は、元の運営者側サーバ２に接続され、購入限度額照会画面にその画面が遷移せしめられる。すると、その画面では、追加金データ分だけ、投資可能金額残高データが増えていることが確認できるようになる。
【００４９】
また上記運営者側サーバ２は、顧客の各端末３０、３１…、３ｎの情報閲覧手段から、上記通信回線４を介してアクセスできるようになっており、そこで、任意の顧客から端末を通じて馬券の購入に関するデータ（投資対象データ；場名、レース、単・連・複などの識別、馬番、枠、購入金額などのデータ）に関する入力があった場合に、それを受け付けて記録しておく投資対象データ記録ファイル２３が備えられている。
【００５０】
上記金融機関側サーバ１のテンポラリ口座ファイル１４には、各顧客の指示によって、上述のように、顧客口座ファイル１３から投資（掛金の支払い）可能な金額を予め確保しておくために、各顧客の追加金データが留保されている。そのテンポラリ口座ファイル１４に格納された追加金データは、それらの顧客コードと共に、運営者側サーバ２に備えられた投資可能額記録ファイル２４に転送され、そこに投資可能金額残高データとして記録される。上記のように、顧客によって馬券の購入に関するデータに関する入力が行われた場合、上記投資対象データ記録ファイル２３にそのデータが記録されると共に、その掛金（投資金額）データは、上記投資可能額記録ファイル２４に送られ、後述するように、運営者側サーバ２の演算手段であるＣＰＵ２０によって、上記投資可能金額残高データから減算される。またその投資（掛金の入金）を行った顧客に配当があった場合は、その配当分に相当する金額データが、同じくＣＰＵ２０によって、上記投資可能金額残高データに加算される。
【００５１】
これらのレースが終了した場合、或いは各顧客がこれらの運用に対する投資を自ら終了した場合、運営者側サーバ２の上記投資可能額記録ファイル２４から投資可能金額残高のデータが、ＣＰＵ２０の指示により、通信部２２を介して、上記顧客コードと共に金融機関側サーバ１の通信部１２に通知されることになる。その場合、上記テンポラリ口座ファイル１４の顧客コードで特定される領域に留保した投資追加金額と該投資可能金額残高データ金額との精算が、該金融機関側のＣＰＵ１０により行われ、その精算結果に基づき、該ＣＰＵ１０により、上記運営者側口座ファイル１５、顧客口座ファイル１３及びテンポラリ口座ファイル１４の金額データの更新が行われることになる。
【００５２】
図２以下の図面を使用して、本発明法の詳細につき説明する。
図２〜図８は、各顧客の端末３０、３１…、３ｎからの指示とレース結果の入力により、金融機関側サーバ１及び運営者側サーバ２において、どのような処理が行われるかが示されている。
【００５３】
これらの図面に示すように、金融機関側サーバ１は、その演算手段たるＣＰＵ１０と、ハードディスク（図示なし）から読み出され上記ＣＰＵ１０により実行されるオペレーティングシステムや本発明に係るプログラムが格納され、且つ該ＣＰＵ１０のワーキングエリアを提供するＲＡＭ１１と、上記金融機関側サーバ１のＣＰＵ１０が上記通信回線４を介して外部とのデータなどの出入を行う通信部１２と、上述した顧客口座ファイル１３と、テンポラリ口座ファイル１４と、運営者側口座ファイル１５とを有している。これらのファイルは、上述した図示しないハードディスクで構成されていても良い。
【００５４】
また運営者側サーバ２は、同様に、その演算手段たるＣＰＵ２０と、ハードディスク（図示なし）から読み出され上記ＣＰＵ２０により実行されるオペレーティングシステムや本発明に係るプログラムが格納され、且つ該ＣＰＵ２０のワーキングエリアを提供するＲＡＭ２１と、上記運営者側サーバ２のＣＰＵ２０が上記通信回線４を介して外部とのデータなどの出入を行う通信部２２と、上述した投資対象データ記録ファイル２３と、投資可能額記録ファイル２４とを有している。これらのファイルは、上述した図示しないハードディスクで構成されていても良い。
【００５５】
まず顧客は、自己の端末を情報閲覧手段として使用し、上記運営者側サーバ２にアクセスして、自己の顧客コードを指定することで、上記投資可能額記録ファイル２４の該顧客コードで特定される領域に格納されている投資可能金額残高データを確認する。当初は、何もないので、あらためて、図２に示すように、情報閲覧手段のリンク先を金融機関側サーバ１に変更する。ここで、本人を確認する情報が求められる（顧客ＩＤ及びパスワードなど）ので、それを入力すると、本人確認がなされ、本人と確認されれば、顧客コードが特定されて、上記顧客口座ファイル１３においてその顧客コードが割り当てられた領域にアクセスできるようになる。
【００５６】
ここで、金融機関側サーバ１の本プログラムのＣＰＵ１０での実行により、顧客端末の情報閲覧手段に、上記運営者側のレースにおいて使用したい金額の入力を促す画面が表示されるため、顧客は、希望する追加金の金額を入力する。
【００５７】
すると、上記ＣＰＵ１０により、上記顧客口座ファイル１３においてその顧客コードが割り当てられた領域から、希望する上記金額額分が追加金データとして徴収され（差し引かれ）、上記テンポラリ口座ファイル１４の該顧客コードが割り当てられた領域に、その金額分が追加金データとして移され、そこに留保される。その際、上記ＣＰＵ１０により、通信部１２を介して、上記顧客の情報閲覧手段の所定のデータ格納領域に該顧客コード及びその金額分に相当する投資追加金額のデータが引き継がれ、さらに運営者側サーバ２の通信部２２のＵＲＬが該情報閲覧手段に与えられて、この情報閲覧手段のリンク先を運営者側サーバ２の通信部２２に変更せしめる。
【００５８】
該顧客の情報閲覧手段が与えられたＵＲＬに従って、運営者側サーバ２の通信部２２にそのリンク先を変更した場合、該サーバ２のＣＰＵ２０により、該情報閲覧手段から、顧客コード及び上記投資追加金額のデータの読み出し指示が出力され、運営者側サーバ２の投資可能額記録ファイル２４において、該ＣＰＵ２０により該顧客コードが割り当てられた領域に、読み出された投資追加金データが記録される。その記録された状態を可視的に示したものが、図９の図面である。上述のように、投資追加金額のデータが、投資追加累計額として記録されて（▲１▼）、該顧客の投資可能金額残高データ（図面上▲４▼購入限度額）は、３０万円となっている。
【００５９】
図３は、運営者側サーバ２の投資可能額記録ファイル２４から、該顧客のコードで特定される領域に記録されている投資可能金額残高データを、顧客が自分の情報閲覧手段により確認する場合の機能ブロックにおける処理の流れを示している。同図によれば、上記図９に示すと同様な投資可能金額残高データが情報閲覧手段の画面に表示される。
【００６０】
次に顧客は、図４に示すように、上記情報閲覧手段を使用して、運営者側サーバ２（通信部２２）に対し、投資対象データの入力を行う。すると、運営者側サーバ２のＣＰＵ２０により、該投資対象データは、投資対象データ記録ファイル２３における顧客コードで特定される領域に登録される。この投資対象データ中には、購入金額（投資金額）が含まれているため、上記ＣＰＵ２０により、掛金として投資可能額記録ファイル２４に登録される。その登録された状態を可視的に示したものが、図１０の図面である。上述のように、投資金額のデータが累計投資額として記録されて（▲２▼）、該顧客の投資可能金額残高データ（図面上▲４▼購入限度額）は、その掛金分の金額だけ減り、２３万６千６００円となっている。
【００６１】
さらに、レースが行われてその運用結果であるレース結果が運営者側の別のコンピュータ（図示なし）から上記運営者側サーバ２に入力されると、それを受けた通信部２２により、該運営結果がＣＰＵ２０に伝えられる。該ＣＰＵ２０は、その運営結果を分析し、上記投資対象データ記録ファイル２３の各顧客コード毎の領域に、投資結果データとして格納する。
【００６２】
上記運営結果（レース結果）から、任意の顧客には、自己の予想結果が当たって、配当が支払われることがあり、そのような場合にはその投資結果データ中に配当される金額（配当金）が含まれることがある。そのような顧客に対しては、上記ＣＰＵ２０により、該投資結果データ中に含まれる投資配当が、上記投資可能額記録ファイル２４の該当する顧客コードの領域に登録される。その登録された状態を可視的に示したものが、図１１の図面である。上述のように、投資配当のデータが累計払戻額として記録されて（▲３▼）、該顧客の投資可能金額残高データ（図面上▲４▼購入限度額）は、その払戻分の金額だけ増え、３１万円となっている。
【００６３】
顧客がレースへの投資を続ける限り、図４及び図５の処理が繰り返されることになる。また必要に応じて上記図２及び図３の処理も行われることになる。図１２は、上記レース途中で運営者側サーバ２における自己の顧客コードで特定される投資可能額記録ファイル２４の領域に格納されている投資可能金額残高データを確認している場合の顧客情報閲覧手段における画面表示例を、また図１３はその場合の上記投資可能額記録ファイル２４の該当する顧客コードの領域に登録された投資可能金額残高データの状態を可視的に示している。
【００６４】
ここで、顧客が金額をさらに追加して、購入限度額を増やした場合には、運営者側サーバ２に対し、自己の情報閲覧手段から、購入限度追加画面を呼び出し、図１４に示すように、購入限度追加希望金額を入力する。そして「了解・追加する」のボタンをクリックすると、その顧客の顧客コードと上記購入限度追加希望金額が、その顧客の情報閲覧手段の所定の記憶領域に格納せしめられ、且つ金融機関側サーバ１のＵＲＬと戻りＵＲＬ（金融機関側サーバ１から再び運営者側サーバ２に戻ってくる際の運営者側サーバ２のＵＲＬ）が与えられて、そのリンク先をまず金融機関側サーバ１の通信部１２に変更する。
【００６５】
そのリンク先変更時に、金融機関側サーバ１のＣＰＵ１０は、通信部１２を介して情報閲覧手段から、上記顧客コードと上記購入限度追加希望金額を受け取り、（その顧客の本人確認の後）顧客の情報閲覧手段の画面を、図１５のような振込決済画面に変更せしめる。この場合に、「払う」のボタンをクリックすると、図１６に示すように、投資追加金データが、上記テンポラリ口座ファイル１４におけるその顧客の顧客コードで特定される領域に留保されたことを知らせる画面表示に変わる。その際、金融機関側サーバ１のＣＰＵ１０は、通信部１２及び運営者側サーバ２の通信部２２を介して、上記ＣＰＵ２０に、顧客コードと共に投資追加金データを伝達する。それによりＣＰＵ２０は、これらのデータを、投資可能額記録ファイル２４に記録する。
【００６６】
そして「閉じる」のボタンがクリックされると、上記戻りＵＲＬが上記情報閲覧手段に与えられて、図１７に示すように、運営者側サーバ２のＣＰＵ２０により、当該顧客の情報閲覧手段は、購入限度額が追加された旨の画面表示に変更せしめられる。尚、上記顧客コードと投資追加金データは、一旦金融機関側サーバ１のＣＰＵ１０から上記情報閲覧手段の特定の格納領域に格納せしめられ、上記リンク先の変更と共に、情報閲覧手段から、運営者側サーバ２の通信部２２を介してＣＰＵ２０に、これらのデータが渡され、投資可能額記録ファイル２４に記録されるようにしても良い。
【００６７】
ここで、顧客が自己の情報閲覧手段にから、運営者側サーバ２に対して、購入限度額を確認するための指示が出されると、図１８に示すような購入限度照会画面に遷移せしめられる。
【００６８】
この状態になった時には、投資可能額記録ファイル２４における当該顧客の顧客コード領域に記録された投資追加金額のデータは、図１９に示されるようになっている。すなわち、投資追加金額の追加によって、投資可能額記録ファイル２４の領域に格納されている投資可能金額残高データの値（金額）が増加していることになる。
【００６９】
次にこれらのレースが終了した場合、或いは各顧客がこれらの運用に対する投資を自ら終了した場合には、図６に示すように、運営者側の別の上記コンピュータから又は各顧客の上記情報閲覧手段から運営者側サーバ２に、精算のための指示が出力される。すると、これを受けた通信部２２は、該指示を上記ＣＰＵ２０に転送する。そこで、該ＣＰＵ２０により、レースが全て終了した場合には投資可能額記録ファイル２４の全顧客コードの領域に格納されている投資可能金額残高データが、又各顧客が自ら終了した場合にはそれらの顧客コードで特定される投資可能額記録ファイル２４の領域に格納されている夫々の投資可能金額残高データが、読み出され、夫々の顧客の現在の投資可能金額の残高計算がなされる。
【００７０】
これらの各顧客の投資可能金額残高データは、ＣＰＵ２０により、通信部２２を介して、上記各顧客コードと共に金融機関側サーバ１の通信部１２に通知されることになる。
【００７１】
そしてこれらのデータの通知を受けた金融機関側サーバ１では、上記ＣＰＵ１０により、上記テンポラリ口座ファイル１４の顧客コードで特定される領域に留保した投資追加金額と該投資可能金額残高データ金額との精算が行われる。
【００７２】
この精算処理で、通知された投資可能金額残高データがテンポラリ口座ファイル１４の顧客コードの領域に格納された留保投資追加金額より大きい場合には、図７に示すように、該ＣＰＵ１０により、金融機関側サーバ１に備えられた運営者側口座ファイル１５から、（通知された投資可能金額残高データ−留保投資追加金額）分の金額（最終的にその顧客にとって配当などによりプラスになった金額分）が徴収されると共に、上記顧客口座ファイル１３の顧客コードで特定される領域に、通知された投資可能金額残高データ分の金額が入金され、さらに上記テンポラリ口座ファイル１４の顧客コードで特定される領域に留保された投資追加金額が０とされることになる。ただしそのような顧客の情報閲覧手段には、図２０に示すように、（累計払戻額＋投資追加累計額）−（累計投資額）、すなわち、図９〜図１９に示された例では、（１２３，４００円−６３，４００円）の差引額６０，０００円が、精算結果の入金分として、その顧客の顧客口座ファイル１３に入金されることになる（土日祭日の翌営業日に入金処理される）。
【００７３】
また通知された投資可能金額残高データがテンポラリ口座ファイル１４の顧客コードの領域に格納された留保投資追加金額より小さい場合は、図８に示すように、上記ＣＰＵ１０により、上記顧客口座ファイル１３の顧客コードで特定される領域に、通知された投資可能金額残高データ分の金額が返金されると共に、金融機関側サーバ１に備えられた運営者側口座ファイル１５に、（留保投資追加金額−通知された投資可能金額残高データ）分の金額（最終的にその顧客にとって負けが込むなどによりマイナスになった金額；主に掛金分）が入金され、さらに上記テンポラリ口座ファイル１４の顧客コードで特定される領域に留保された投資追加金額が０とされることになる。結局この場合は、顧客は、当初の追加金の金額より低い金額が自己の顧客口座ファイル１３に戻されることになる。
【００７４】
すなわち、テンポラリ口座ファイル１４の残高は元の０に戻され、顧客は、基本的に掛金に相当する金額が上記留保投資追加金額から差し引かれ、さらにもしその運用（投資）に対して配当があった場合には、その配当分の金額が留保投資追加金額に加算されることになる。他方運営者側は、上記掛金に相当する金額が自己の運営者側口座ファイル１５に入り、他方顧客側に配当があった場合は、その分が該運営者側口座ファイル１５から出金されることになる。
【００７５】
以上のような精算処理に基づいて、該ＣＰＵ１０により、上記運営者側口座ファイル１５、顧客口座ファイル１３及びテンポラリ口座ファイル１４の金額データの更新が行われることになる。
【００７６】
図２１は、金融機関側サーバ１における処理フローを示すフローチャートである。同図に示すように、該金融機関側サーバ１のＣＰＵ１０により、通信部１２に対し、外部からのこの金融機関側サーバ１へのアクセスがあるか否かが確認される（ステップＳ１０１）。該アクセスがなければ（ステップＳ１０１；Ｎ）、ステップＳ１０１の最初に戻り、以上の処理を繰り返す。
【００７７】
反対に外部からのこの金融機関側サーバ１へのアクセスがあれば（ステップＳ１０１；Ｙ）、この金融機関と取引のある顧客により、自己の顧客口座ファイル１３から上記競馬レースなどの掛金（投資金）の払い込みができるように追加金データを留保しておく顧客口座ファイル１３への資金追加指示があったか否かが確認される（ステップＳ１０２）。
【００７８】
資金追加指示があった場合（ステップＳ１０２；Ｙ）、投資金額の入力が求められ、それに応じて、顧客は投資金額追加の入力を行う（ステップＳ１０３）。
【００７９】
すると、上記ＣＰＵ１０により、顧客口座ファイル１３の当該顧客の顧客コードで特定される領域から、上記指示があった追加投資金額分だけ差し引かれ（ステップＳ１０４）、テンポラリ口座ファイル１４の顧客コードで特定される領域に、その追加投資金額分が留保される（ステップＳ１０５）。
【００８０】
また上記ＣＰＵ１０により、投資追加金額データと顧客コードが、運営者側サーバ２に通知され（ステップＳ１０６）、一連の処理が終了する。
【００８１】
上記ステップＳ１０２において、資金追加指示がない場合（ステップＳ１０２；Ｎ）、顧客から精算指示が運営者側サーバ２に出され又はレースが終了してその日のレース分の精算がなされるものとして、運営者側サーバ２のＣＰＵ１０により、通信部２２及び通信部１２を介して直接に、又は顧客の情報閲覧手段の特定の格納領域に一旦格納された後上記通信部１２にリンク先が変更されて間接的に、上記投資可能額記録ファイル２４の当該顧客コードで特定される領域から読み出された該顧客コードと投資可能金額残高データが、金融機関側サーバ１の通信部１２を介し、上記ＣＰＵ１０に受信される（ステップＳ１０７）。
【００８２】
これらのデータの受信を基に、上記ＣＰＵ１０により、上記顧客コードで特定されるテンポラリ口座ファイル１４に留保される投資追加金額と、通知された上記投資可能金額残高データとが比較され、上述のような精算がなされる（ステップＳ１０８）。その精算結果に基づき、ＣＰＵ１０により、運営者口座ファイル１５、顧客口座ファイル１３及びテンポラリ口座ファイル１４の更新処理がなされる（ステップＳ１０９）。
【００８３】
他方図２２は、運営者側サーバ２における処理フローを示すフローチャートである。同図に示すように、該運営者側サーバ２のＣＰＵ２０により、通信部２２に対し、外部からのこの運営者側サーバ２へのアクセスがあるか否かが確認される（ステップＳ２０１）。該アクセスがなければ（ステップＳ２０１；Ｎ）、ステップＳ２０１の最初に戻り、以上の処理を繰り返す。
【００８４】
反対に外部からのこの運営者側サーバ２へのアクセスがあれば（ステップＳ２０１；Ｙ）、運営者側サーバ２のＣＰＵ２０により、そのアクセスが金融機関側サーバ１から直接的に、又は顧客の情報閲覧手段を介して間接的に、顧客コードと投資追加金額データの通知であるか否かがチェックされる（ステップＳ２０２）。
【００８５】
顧客コードと投資追加金額データの通知であれば（ステップＳ２０２；Ｙ）、上記ＣＰＵ２０により、投資可能額記録ファイル２４において上記顧客コードで特定される領域に、該投資追加金額データが格納される（ステップＳ２０３）。そして処理はステップＳ２０１に復帰する。
【００８６】
上記ステップＳ２０２において、顧客コードと投資追加金額データの通知でなければ（ステップＳ２０２；Ｎ）、上記アクセスによって顧客からの投資対象データに関する入力がなされたか否かがチェックされる（ステップＳ２０４）。
【００８７】
顧客からの投資対象データに関する入力がなされた場合（ステップＳ２０４；Ｙ）には、上記ＣＰＵ２０により、投資対象データ記録ファイル２３においてその顧客の顧客コードで特定される領域に、投資対象データが格納される（ステップＳ２０５）と共に、上記投資可能額記録ファイル２４において該顧客コードで特定される領域にある投資可能残高データから、投資金額データ分だけ減算される（ステップＳ２０６）。そして処理は同じくステップＳ２０１に復帰する。
【００８８】
上記ステップＳ２０４において、顧客からの投資対象データに関する入力がなければ（ステップＳ２０４；Ｎ）、運営者側の別のコンピュータからの運用結果（レース結果）の入力であるか否かがチェックされる（ステップＳ２０７）。
【００８９】
運用結果の入力であれば（ステップＳ２０７；Ｙ）、上記ＣＰＵ２０により運用結果が分析され（ステップＳ２０８）、上記投資対象データ記録ファイル２３の当該顧客の顧客コードで特定される領域に、その運用結果が投資結果データとして格納される（ステップＳ２０９）。
【００９０】
また上記運用結果の分析から、上記ＣＰＵ２０により特定の顧客に対し配当が生じているか否かがチェックされる（ステップＳ２１０）。
【００９１】
配当が生じている顧客に対しては（ステップＳ２１０；Ｙ）、上記ＣＰＵ２０により、上記投資可能額記録ファイル２４において該顧客コードで特定される領域にある投資可能残高データに、配当金額分だけ加算される（ステップＳ２１１）。そして処理はステップＳ２０１に復帰する。
【００９２】
反対に配当が生じていない顧客については（ステップＳ２１０；Ｎ）、処理はそのままステップＳ２０１に復帰する。
【００９３】
上記ステップＳ２０７において、運用結果の入力でなければ（ステップＳ２０７；Ｎ）、顧客から精算指示が運営者側サーバ２に出され又はレースが終了してその日のレース分の精算がなされるものとして、運営者側サーバ２のＣＰＵ１０により、投資可能額記録ファイル２４から顧客コード毎に投資可能残高データが読み出され、各顧客の投資可能金額残高の計算処理が行われる（ステップＳ２１２）。
【００９４】
そして、該ＣＰＵ２０により、通信部２２及び通信部１２を介して直接に、又は顧客の情報閲覧手段の特定の格納領域に一旦格納された後上記通信部１２にリンク先が変更されて間接的に、各顧客コード及び投資可能金額残高データが、金融機関側サーバ１の通信部１２を介して、上記ＣＰＵ１０に通知され（ステップＳ２１３）、処理は終了する。
【００９５】
尚、本発明の投資処理方法は、上述の実施例にのみ限定されるものではなく、本発明の要旨を逸脱しない範囲内において種々変更を加え得ることは勿論である。例えば、本願実施形態構成では、レース開催日当日でも、レースの掛金として使用できる購入限度額を顧客の情報閲覧手段から、投資追加金額として金額を指定し、自己の顧客口座ファイル１３からテンポラリ口座ファイル１４に留保しているが、最初の投資追加金額の留保分は、従来と同様、開催日前日までにその顧客のレース専用口座（顧客コードで領域が特定される上記テンポラリ口座ファイル１４に相当する）に必要な投資金額を移しておき、該口座の残高データが開催日の前日深夜などの時間帯に、上記運営者側へマグネチックテープ（ＭＴ）などに記録された状態で届けられ（或いは転送され）、開催日には、すでに投資可能金額残高データに、任意の額が留保されるようにしておくこともできる。
【００９６】
さらに以上の構成は、競馬、競艇、競輪など現行法で合法とされている公営競技の他、特定のギャンブルの開催を容認する特区構想などが将来実現された場合にも同様にてきようできることになる。また特定の取引所を介さず、夜間に特定の取次業者が介在することで、ネット上で株式の売買取引が行われる場合についても適用可能なことは言うまでもない。
【００９７】
【発明の効果】
以上、説明したように本発明の請求項１〜請求項３０記載の投資処理方法、投資処理装置、コンピュータ・プログラム及び記録媒体によれば、金融機関などが入金処理などを行っていないような特定の期間中でも、上記のような投資専用口座などへの追加入金（追加投資）などが可能となり、このような特定の期間中であっても、該口座に資金の追加ができるので、投資機会が失われるようなことがなくなるという優れた効果を奏し得る。
【図面の簡単な説明】
【図１】本発明法が実施される際に使用されるコンピュータ及び通信システムの全体構成を示す説明図である。
【図２】顧客が追加金支払の指示を出した場合の上記全体のシステム構成における処理の流れを示す機能ブロック図である。
【図３】顧客が投資可能金額残高を確認する場合の上記全体のシステム構成における処理の流れを示す機能ブロック図である。
【図４】顧客が投資対象データを入力する場合の上記全体のシステム構成における処理の流れを示す機能ブロック図である。
【図５】レース結果が入力された場合の上記全体のシステム構成における処理の流れを示す機能ブロック図である。
【図６】顧客から精算指示が出された場合又はレースが終了した場合の上記全体のシステム構成における処理の流れを示す機能ブロック図である。
【図７】通知された投資可能金額残高データが留保追加金額より大きい場合の精算処理時の上記全体のシステム構成における処理の流れを示す機能ブロック図である。
【図８】通知された投資可能金額残高データが留保追加金額より小さい場合の精算処理時の上記全体のシステム構成における処理の流れを示す機能ブロック図である。
【図９】投資可能額記録ファイル２４から読み出された投資追加金データの記録された状態を示した説明図である。
【図１０】投資可能額記録ファイル２４に掛金として登録された状態を示した説明図である。
【図１１】投資可能額記録ファイル２４に投資配当として登録された状態を示した説明図である。
【図１２】レース途中で運営者側サーバ２における自己の顧客コードで特定される投資可能額記録ファイル２４の領域に格納されている投資可能金額残高データを確認している場合の顧客情報閲覧手段における表示例を示す画面説明図である。
【図１３】投資可能額記録ファイル２４の領域に格納されている投資可能金額残高データを確認している場合の該データの記録された状態を示した説明図である。
【図１４】顧客がレース中に購入限度追加希望金額を入力するために情報閲覧手段に呼び出した購入限度追加画面を示す画面構成説明図である。
【図１５】情報閲覧手段に表示された振込決済画面を示す画面構成説明図である。
【図１６】情報閲覧手段に表示された振込決済終了画面を示す画面構成説明図である。
【図１７】運営者側サーバ２にリンク先が変更されて情報閲覧手段に表示された振込決済終了画面を示す画面構成説明図である。
【図１８】購入限度額を確認するための情報閲覧手段に表示された購入限度照会画面を示す画面構成説明図である。
【図１９】購入限度額確認時の投資可能額記録ファイル２４に記録された投資追加金額のデータの状態を示した説明図である。
【図２０】精算処理によって顧客の情報閲覧手段に表示された入出金状態を示す画面説明図である。
【図２１】金融機関側サーバ１における処理フローを示すフローチャートである。
【図２２】運営者側サーバ２における処理フローを示すフローチャートである。
【符号の説明】
１                金融機関側サーバ
２                運営者側サーバ
３０、３１…、３ｎ  顧客端末
４                通信回線
１０、２０          ＣＰＵ
１１、２１          ＲＡＭ
１２、２２          通信部
１３                顧客口座ファイル
１４                テンポラリ口座ファイル
１５                運営者側口座ファイル
２３                投資対象データ記録ファイル
２４                投資可能額記録ファイル
【図１】
2004164448.tif 000003
【図２】
2004164448.tif 000004
【図３】
2004164448.tif 000005
【図４】
2004164448.tif 000006
【図５】
2004164448.tif 000007
【図６】
2004164448.tif 000008
【図７】
2004164448.tif 000009
【図８】
2004164448.tif 000010
【図９】
2004164448.tif 000011
【図１０】
2004164448.tif 000012
【図１１】
2004164448.tif 000013
【図１２】
2004164448.tif 000014
【図１３】
2004164448.tif 000015
【図１４】
2004164448.tif 000016
【図１５】
2004164448.tif 000017
【図１６】
2004164448.tif 000018
【図１７】
2004164448.tif 000019
【図１８】
2004164448.tif 000020
【図１９】
2004164448.tif 000021
【図２０】
2004164448.tif 000022
【図２１】
2004164448.tif 000023
【図２２】
2004164448.tif 000024